(57)【要約】【課題】  端部に切断加工を施すことなく、複数の縁石を任意の半径の曲線状に相互に接続して配列することが可能な縁石を目的とする。【解決手段】  ベース縁石２と、このベース縁石２上に積層される本体縁石３とより構成される縁石１であって、かつこれ等のベース縁石２と本体縁石３の端部が夫々円弧状に形成された外構工事、緑化工事等に使用される縁石である。【選択図】      図１
2006006266.tif 000002
【特許請求の範囲】
【請求項１】
外構工事、屋上或はベランダの緑化工事等に於ける花壇等の植栽部分とそれ以外の部分を仕切るため、または異なる土厚の部分を仕切るための縁石に於て、該縁石をベ−ス縁石とこのベース縁石上に積層される本体縁石とで構成し、かつこれ等のベース縁石と本体縁石の端部を予め円弧状に形成して構成したことを特徴とした縁石。
【請求項２】
請求項１のベース縁石の表面に切断ガイド溝を設けて構成したことを特徴とした縁石。
【発明の詳細な説明】
【技術分野】
【０００１】
本発明は、外構工事、屋上或はベランダの緑化工事等に上下に積層して使用されるブロック状の縁石に係り、特に端部に切断加工を施すことなく、複数の一対の縁石を任意の半径の曲線状に相互に接続して配列することを可能とした縁石に関するものである。
【背景技術】
【０００２】
外構工事、屋上或はベランダの緑化工事等に於て、花壇等の植栽部分とそれ以外の部分を仕切るため、または異なる土厚の部分を仕切るために縁石が一般的に用いられている。
【０００３】
前述の外構工事、屋上或はベランダの緑化工事等に使用される従来の縁石は、その両端部が直線状に形成された角型ブロックで構成されていた。
【発明の開示】
【発明が解決しようとする課題】
【０００４】
然るに、前述の外構工事、緑化工事等に於て、従来の複数の縁石を任意の半径の曲線状に配列するためには、縁石の両端部を所定の形状に切断加工をしなければならなかった。
【０００５】
縁石の両端部に適宜切断等の加工等を施すに当っては、縁石がコンクリートブロック等で構成されているので、作業が困難であり、熟練者でない場合には所望の形状に切断することが困難であり、かつ危険を伴う問題があった。また、切断する際に発生する粉塵が近隣に飛散することを防止するための対策を講じる必要があった。さらに、この切断作業には多くの人工数が必要である等の問題もあった。
【０００６】
また、前述のような両端部に切断加工を施した縁石を隣接して突き合わせた場合には、どうしても切断加工面の精度が悪いために、縁石同士に隙間が出来てしまい、その隙間から囲った内部の土壌が流出してしまう問題があった。さらに、外観上の見栄えも悪い等の問題があった。
【０００７】
最近になって、例えば特開２０００−１０６７５４号公報（特許文献１）に示す如く、前述の問題点を解決するために、ブロックの両端部を円弧状に構成した発明も開発されている。
【０００８】
この特許文献１に記載された発明は、同一形状の２つの仮想円柱体同士を各軸線を平行に連結した基本構造を有し、かつ２つの軸線間の距離を仮想円柱体の直径と同じ長さに構成した両端部が円弧状に形成された縁石に関する技術である。
【０００９】
前記特許文献１に係るブロック状の縁石は、両端部が円弧状に形成されているので、複数の縁石を任意の半径の曲線状に相互に接続して配列するのは可能であるが、しかし、緑化工事等に当って、直線加工しか出来ないウッドデッキ等の床仕上材を、連続する縁石の一部に接するように配置する場合には、前記ブロック状の縁石は、特別の加工を施さなければ、床仕上材との間にすき間をあけずに配置することが出来ない問題があった。
【００１０】
本発明に係る縁石は、前述の従来の多くの問題点に鑑み開発された全く新しい技術であって、特に外構工事、屋上或はベランダの緑化工事等に使用される縁石に於て、該縁石を所定の高さを有するベース縁石とこのベース縁石上に積層される本体縁石とで構成し、かつこれ等の一対の縁石の端部を夫々予め円弧状に形成して構成した縁石の技術を提供するものである。
【課題を解決するための手段】
【００１１】
本発明に係る縁石は前述の従来の多くの問題点を根本的に改善した発明であって、その第１発明の要旨は、外構工事、屋上或はベランダの緑化工事等に於ける花壇等の植栽部分とそれ以外の部分を仕切るため、または異なる土厚の部分を仕切るための縁石に於て、該縁石をベ−ス縁石とこのベース縁石上に積層される本体縁石とで構成し、かつこれ等のベース縁石と本体縁石の端部を予め円弧状に形成して構成したことを特徴とした縁石である。
【００１２】
また、本発明に係る第２発明の要旨は、第１発明のベース縁石の表面に切断ガイド溝を設けて構成したことを特徴とした縁石である。
【発明の効果】
【００１３】
前記本発明に係る縁石はベース縁石とこのベース縁石上に積層される本体縁石とで構成したので、前述のように緑化工事等に当って縁石を連続させて構成した植栽域の外周部の一部に接して直線加工以外の加工が困難な床仕上材を敷設する場合には、ベース縁石のみに直線加工を施し、加工されたベース縁石と床仕上材との上に本体縁石を積み重ねることによって、縁石を床仕上材との間にすき間をあけることなく、所望の位置に配列することが出来る。また、切断加工を施すことなく、ベース縁石を植栽域側にずらすことによって、床仕上材の張り出し部を納めることも出来る。
【００１４】
前記ベース縁石の高さと床仕上材の高さとをおおむね揃えることによって、本体縁石を加工されたベース縁石と床仕上材の上に安定した状態で積層することが出来る。
【００１５】
また、前述のベース縁石と本体縁石とは夫々端部が夫々円弧状に形成されているので、これ等の一対の縁石を順に配列することによって、一対の縁石を任意の半径の曲線状に相互に接続して配列することが出来る。前記ベース縁石と本体縁石とは外形を同一のデザインに揃えることによって外観の美しい縁石を形成することが出来る。
【００１６】
前記第２発明の縁石に於ては、ベース縁石の表面に切断ガイド溝を設けて構成したので、前記植栽域以外の床面に敷設された床仕上材の一部が配置されるベース縁石の一部と重合して邪魔になる場合には、前記切断ガイドに沿ってベース縁石の一部を加工して切除することによって、ベース縁石の巾を所定の巾に小さくすることが出来る。従って、加工されたベース縁石と床仕上材とを並列し、これ等の上に本体縁石を安定した状態で、しかも体裁良く積み重ねることが出来る。
【発明を実施するための最良の形態】
【００１７】
図により、本発明に係る縁石の一実施例を具体的に説明すると、図１は本発明に係る縁石の構成を示す説明図、図２は本体縁石の説明図、図３はベース縁石の説明図、図４は図１の縁石を床仕上材の一部に沿って順に曲線状に配列した状態の斜視説明図、図５は床仕上材とベース縁石との取り合せ状態を示す説明図、図６は床仕上材とベース縁石との取り合せ状態を示す他例の説明図である。
【００１８】
図１乃至図５に於て、１は本発明に係る縁石であって、ベース縁石２と、このベース縁石２上に積層される本体縁石３とより構成されている。これ等のベース縁石２と本体縁石３の両端部は夫々所定の半径を持って上下の縁石３、２のデザインが揃うように円弧状に形成されている。
【００１９】
上述のベース縁石２の高さは約３０ｍｍであり、後述の植栽域以外の床面に設置された床仕上材４の高さよりも２ｍｍ前後高く形成されている。本体縁石３の高さは約９０ｍｍに形成されている。ベース縁石２と本体縁石３との長さ（長軸）と巾（短軸）とは夫々約２００ｍｍ、及び約１２０ｍｍに形成されている。前述の縁石２、３は、植栽する植物の必要とする土厚等に応じて寸法が決定されるので、前記寸法に限定されるものではない。
【００２０】
前記ベース縁石２の表面には、特に図３に示すように、そのほぼ中央部に軸方向に沿って５本の切断ガイド溝５がほぼ等間隔で平行に穿設されている。従って、このベース縁石２は、これ等の切断ガイド溝５を選択して切断することによって、そのベース縁石２の巾を所望の巾に形成することが出来る。特に、正確に切断することが困難なコンクリートブロック等で構成される縁石を、これ等の切断ガイド溝５を利用することによって、簡単な作業でかつ正確で安全に切断することが出来る。さらに、切断部位が削減されることで、粉塵対策の軽減と人工数の削減が出来る。
【００２１】
本発明に係る縁石１の使用に当っては、例えば図４或は図５に例示する如く、花壇等の植栽域と植栽域以外の床面との境に複数のベース縁石２を連続配置し、かつこれ等のベース縁石２上に本体縁石３を順に積層することによって、縁石１同上を直線或は曲線状に連続配置することが出来る。
【００２２】
このように、複数個の縁石１を連続配置することによって、植栽域と植栽域以外の床面とを体裁良く区画することが出来る。前述の如く、複数の縁石１を連続配置して構成した区画の高さ寸法は、植栽域の土壌レベル（土壌の乾燥や飛散を防止するマルチング材を敷設する場合はこれを含めたレベル）に約１０ｍｍ程度加えた寸法になるように構成する。
【００２３】
本発明に係る前述の縁石１は、端部が円弧状に形成されているので、縁石１の端部に切断加工を施す必要がなく、複数の縁石１を直線或は曲線状に連続配置することが出来る。従って、加工する手間を削減すると共に、安全性を確保することが出来る。かつ、配置された各縁石１を相互に密接することが出来るので、全体の納まりも良く、植栽区域等の土壌が区域外に流出することを防止出来る。
【００２４】
また、縁石１はベース縁石２と本体縁石３とを組合せることによって構成されているので、縁石１を配置する場所に、例えば前記図５に示す如く、植栽域以外の床面に配置された床仕上材４が張り出して来るような場合には、ベース縁石２の一部を加工することによって、加工されたベース縁石２と床仕上材４との上に本体縁石３を安定した状態で積層することが出来る。
【００２５】
また、ベース縁石２に切断ガイド溝５を設けて構成した場合には、切断ガイド溝５に沿って切断することによって、ベース縁石２の巾を簡単かつ正確に小さくすることが出来る。
【００２６】
前記図５に示す実施例に於ては、縁石１を配置する場所に植栽域以外の床面に配置された床仕上材４が張り出して来た場合に、ベース縁石２の一部を切除することによって対応したが、後述の図６に示す構造に変えることによって対応することも出来る。即ち、この図６の場合は、ベース縁石２を加工することなく、ベース縁石２を床仕上材４に沿って植栽域側にずらせて設置し、このベース縁石２の上に本体縁石３を積層して構成した構造である。
【産業上の利用可能性】
【００２７】
本発明に係る縁石は、屋上やベランダの緑化工事に於ける花壇、芝生等の植栽部分とそれ以外の部分とを仕切るための縁石として、或は異なる土厚の部分を仕切るための縁石に使用される。さらに、庭の外構工事や農業用田畑の仕切縁石にも使用可能である。
【図面の簡単な説明】
【００２８】
【図１】本発明に係る縁石の構成を示す説明図である。
【図２】本体縁石の説明図である。
【図３】ベース縁石の説明図である。
【図４】図１の縁石を床仕上材の一部に沿って順に曲線状に配列した状態の斜視説明図である。
【図５】床仕上材とベース縁石との取り合せ状態を示す説明図である。
【図６】床仕上材とベース縁石との取り合せ状態を示す他例の説明図である。
【符号の説明】
【００２９】
１      ・・・縁石
２      ・・・ベース縁石
３      ・・・本体縁石
４      ・・・床仕上材
５      ・・・切断ガイド溝
【図１】
2006006266.tif 000003
【図２】
2006006266.tif 000004
【図３】
2006006266.tif 000005
【図４】
2006006266.tif 000006
【図５】
2006006266.tif 000007
【図６】
2006006266.tif 000008